(57)【要約】【課題】トナー定着のための適切な温度測定や温度制御をすることができる画像形成装置を提供すること。【解決手段】定着ローラ１５０と離隔して設けられ定着ローラ１５０の温度を測定する非接触温度測定子１５５と、加圧ローラ１７０と接触して設けられ加圧ローラ１７０の温度を測定する接触温度測定子１７５と、非接触温度測定子１５５が測定する温度が第１の目標温度になるように熱源１５１への通電を制御するとともに、接触温度測定子１７５が測定部が測定する温度が第２の目標温度になるように熱源１７１への通電を制御し、さらに定着ローラ１５０および加圧ローラ１７０の回転を制御し、接触温度測定子１７５が測定する温度が第１の所定の温度以上である場合、非接触温度測定子１５５に異常があると判定する制御部１８０とを備える。【選択図】          図１
2004301905.tif 000002
【特許請求の範囲】
【請求項１】
第１の熱源を有し、転写紙のトナー付着面に接する定着ローラと、
第２の熱源を有し、前記転写紙のトナー付着面の裏面に接する加圧ローラと、
前記定着ローラと離隔して設けられ前記定着ローラの温度を測定する第１の温度測定部と、
前記加圧ローラと接触して設けられ前記加圧ローラの温度を測定する第２の温度測定部と、
前記第１の温度測定部が測定する温度が第１の目標温度になるように前記第１の熱源への通電を制御するとともに、前記第２の温度測定部が測定する温度が第２の目標温度になるように前記第２の熱源への通電を制御する温度制御手段と、
前記定着ローラおよび前記加圧ローラの回転を制御する回転制御手段と、
前記温度制御手段に温度を制御させ、前記回転制御手段に前記定着ローラおよび前記加圧ローラを回転させ、前記第２の温度測定部が測定する温度が第１の所定の温度以上である場合、前記第１の温度測定部に異常があると判定する異常判定手段とを備えたことを特徴とする画像形成装置。
【請求項２】
前記第２の温度測定部と前記第１の温度測定部とを、前記定着ローラの回転軸および前記加圧ローラの回転軸に直交する面上に、且つ、前記定着ローラと前記加圧ローラの幅方向の転写紙が接触する面上に設けたことを特徴とする請求項１に記載の画像形成装置。
【請求項３】
前記異常判定手段は、前記画像形成装置の待機時に所定時間毎に、前記温度制御手段に前記定着ローラのみ温度を制御させ、前記回転制御手段に前記定着ローラおよび前記加圧ローラを回転させ、前記第２の温度測定部が測定する温度が第２の所定の温度以上である場合、前記第１の温度測定部に異常があると判定することを特徴とする請求項１または請求項２に記載の画像形成装置。
【請求項４】
転写紙のトナー付着面に接する無端状ベルトの一端が架け渡される定着ローラと、
第１の熱源を有し、前記無端状ベルトの他端が架け渡される加熱ローラと、
第２の熱源を有し、前記転写紙のトナー付着面の裏面に接する加圧ローラと、
前記加熱ローラに架け渡される無端状ベルトから離隔して設けられ前記無端状ベルトの温度を測定する第１の温度測定部と、
前記加圧ローラと接触して設けられ前記加圧ローラの温度を測定する第２の温度測定部と、
前記第１の温度測定部が測定する温度が第１の目標温度になるように前記第１の熱源への通電を制御するとともに、前記第２の温度測定部が測定する温度が第２の目標温度になるように前記第２の熱源への通電を制御する温度制御手段と、
前記定着ローラおよび前記加圧ローラの回転を制御する回転制御手段と、
前記温度制御手段に温度を制御させ、前記回転制御手段に前記定着ローラおよび前記加圧ローラを回転させ、前記第２の温度測定部が測定する温度が第１の所定の温度以上である場合、前記第１の温度測定部に異常があると判定する異常判定手段とを備えたことを特徴とする画像形成装置。
【請求項５】
前記第２の温度測定部と前記第１の温度測定部とを、前記定着ローラの回転軸および前記加圧ローラの回転軸に直交する面上に、且つ、前記定着ローラと前記加圧ローラの幅方向の転写紙が接触する面上に設けたことを特徴とする請求項４に記載の画像形成装置。
【請求項６】
前記異常判定手段は、前記画像形成装置の待機時に所定時間毎に、前記温度制御手段に前記定着ローラのみ温度を制御させ、前記回転制御手段に前記定着ローラおよび前記加圧ローラを回転させ、前記第２の温度測定部が測定する温度が第２の所定の温度以上である場合、前記第１の温度測定部に異常があると判定することを特徴とする請求項４または請求項５に記載の画像形成装置。
【発明の詳細な説明】
【０００１】
【発明の属する技術分野】
本発明は、転写紙のトナー像を熱定着して画像を形成する画像形成装置に関する。
【０００２】
【従来の技術】
従来、転写紙のトナー像を熱定着して画像を形成する画像形成装置においては、定着ローラの熱により溶融されたトナーは強い粘着性を有するために定着ローラの表面には離型性に優れたフッ素樹脂等の層を設けられている。しかし、フッ素樹脂層は金属等と比較して耐磨耗性に劣るため、定着ローラ表面のフッ素樹脂層に接触させて定着ローラの温度を測定するとフッ素樹脂層に傷ができ、この傷が転写紙の画像面のトナー層を荒らすため、転写紙上に光沢乱れ等の画像不良を起こすおそれがあった。このため、定着ローラ中央部等の転写紙に接する部位では非接触式に温度を測定し、定着ローラ端部等の転写紙に接しない部位では接触式に温度を測定するようにした技術が提案されている（例えば、特許文献１）。
【０００３】
【特許文献１】
特開平７−１０４６０８号公報
【０００４】
【発明が解決しようとする課題】
しかしながら、従来の技術では、幅の狭い転写紙を通紙するときは幅の広い転写紙を通紙するときと比較して定着ローラから転写紙に移動する熱が少なくなるので、接触式に温度を測定する定着ローラの端部の温度だけが上昇してしまい、トナー定着のための適切な温度測定や温度制御が困難になるおそれがあった。
【０００５】
そこで本発明は、トナー定着のための適切な温度測定や温度制御をすることができる画像形成装置を提供することを目的としている。
【０００６】
【課題を解決するための手段】
本発明の画像形成装置は、上記課題を解決するために、第１の熱源を有し、転写紙のトナー付着面に接する定着ローラと、第２の熱源を有し、前記転写紙のトナー付着面の裏面に接する加圧ローラと、前記定着ローラと離隔して設けられ前記定着ローラの温度を測定する第１の温度測定部と、前記加圧ローラと接触して設けられ前記加圧ローラの温度を測定する第２の温度測定部と、前記第１の温度測定部が測定する温度が第１の目標温度になるように前記第１の熱源への通電を制御するとともに、前記第２の温度測定部が測定する温度が第２の目標温度になるように前記第２の熱源への通電を制御する温度制御手段と、前記定着ローラおよび前記加圧ローラの回転を制御する回転制御手段と、前記温度制御手段に温度を制御させ、前記回転制御手段に前記定着ローラおよび前記加圧ローラを回転させ、前記第２の温度測定部が測定する温度が第１の所定の温度以上である場合、前記第１の温度測定部に異常があると判定する異常判定手段とを備えたことを特徴としている。
【０００７】
また、本発明の画像形成装置は、上記課題を解決するために、前記第２の温度測定部と前記第１の温度測定部とを、前記定着ローラの回転軸および前記加圧ローラの回転軸に直交する面上に、且つ、前記定着ローラと前記加圧ローラの幅方向の転写紙が接触する面上に設けたことを特徴としている。
【０００８】
また、本発明の画像形成装置は、上記課題を解決するために、前記異常判定手段は、前記画像形成装置の待機時に所定時間毎に、前記温度制御手段に前記定着ローラのみ温度を制御させ、前記回転制御手段に前記定着ローラおよび前記加圧ローラを回転させ、前記第２の温度測定部が測定する温度が第２の所定の温度以上である場合、前記第１の温度測定部に異常があると判定することを特徴としている。
【０００９】
また、本発明の画像形成装置は、上記課題を解決するために、転写紙のトナー付着面に接する無端状ベルトの一端が架け渡される定着ローラと、第１の熱源を有し、前記無端状ベルトの他端が架け渡される加熱ローラと、第２の熱源を有し、前記転写紙のトナー付着面の裏面に接する加圧ローラと、前記加熱ローラに架け渡される無端状ベルトから離隔して設けられ前記無端状ベルトの温度を測定する第１の温度測定部と、前記加圧ローラと接触して設けられ前記加圧ローラの温度を測定する第２の温度測定部と、前記第１の温度測定部が測定する温度が第１の目標温度になるように前記第１の熱源への通電を制御するとともに、前記第２の温度測定部が測定する温度が第２の目標温度になるように前記第２の熱源への通電を制御する温度制御手段と、前記定着ローラおよび前記加圧ローラの回転を制御する回転制御手段と、前記温度制御手段に温度を制御させ、前記回転制御手段に前記定着ローラおよび前記加圧ローラを回転させ、前記第２の温度測定部が測定する温度が第１の所定の温度以上である場合、前記第１の温度測定部に異常があると判定する異常判定手段とを備えたことを特徴としている。
【００１０】
また、本発明の画像形成装置は、上記課題を解決するために、前記第２の温度測定部と前記第１の温度測定部とを、前記定着ローラの回転軸および前記加圧ローラの回転軸に直交する面上に、且つ、前記定着ローラと前記加圧ローラの幅方向の転写紙が接触する面上に設けたことを特徴としている。
【００１１】
また、本発明の画像形成装置は、上記課題を解決するために、前記異常判定手段は、前記画像形成装置の待機時に所定時間毎に、前記温度制御手段に前記定着ローラのみ温度を制御させ、前記回転制御手段に前記定着ローラおよび前記加圧ローラを回転させ、前記第２の温度測定部が測定する温度が第２の所定の温度以上である場合、前記第１の温度測定部に異常があると判定することを特徴としている。
【００１２】
【発明の実施の形態】
以下、本発明の好ましい実施形態を図面に基づいて説明する。
【００１３】
＜第１の実施の形態＞
【００１４】
図１は本発明の第１の実施の形態の画像形成装置の熱定着部を示す図である。
【００１５】
図１に示すように、この画像形成装置は、図示しない転写部によって図示しない感光体上からトナー１１０が転写された転写紙１００が、定着ローラ１５０と加圧ローラ１７０に挟持されて送られるようになっている。そして、定着ローラ１５０および加圧ローラ１７０には、熱源１５１および熱源１７１がそれぞれ内蔵され、これら熱源１５１、１７１が発生した熱と、定着ローラ１５０と加圧ローラ１７０との圧力によりトナー１１０が転写紙１００に定着される。
【００１６】
定着ローラ１５０および加圧ローラ１７０の双方には、その表面に離型性と耐熱性に優れたフッ素樹脂等からなる表面離型層が設けられている。また、加圧ローラ１７０の表面離型層の下には、定着ローラ１５０と加圧ローラとの圧接部に均一に圧力がかかるようにシリコーンゴムやフッ素ゴム等の耐熱ゴムからなる弾性層が設けられている。
【００１７】
非接触サーミスタやサーモパイル等の非接触温度測定素子１５５は、定着ローラ１５０から数ミリ離隔した位置に設けられ、非接触温度測定素子１５５は定着ローラ１５０の表面温度を測定するようになっている。
【００１８】
また、接触サーミスタ等の接触温度測定素子１７５が加圧ローラ１７０に接して設けられ、接触温度測定素子１７５は加圧ローラ１７０の表面温度を測定するようになっている。
【００１９】
また、図２に示すように、非接触温度測定素子１５５と接触温度測定素子１７５との位置関係は、定着ローラ１５０の回転軸および加圧ローラ１７０の回転軸に直交する面上に設けられている。換言すると、非接触温度測定素子１５５が定着ローラ１５０の幅方向中央部の温度を測定するように配置されているなら、接触温度測定素子１７５も加圧ローラ１７０の幅方向中央部の温度を測定するように配置されている。
【００２０】
本実施形態では、非接触温度測定素子１５５と接触温度測定素子１７５は、各ローラの幅方向中央部の温度、すなわち通紙の際の転写紙１００の流れ方向中央部になる部位の温度を測定するようになっており、図２の定着ローラ１５０および加圧ローラ１７０の、転写紙１００と接する部位である画像領域１００ａの左右方向中央部の温度を測定するようになっている。
【００２１】
制御部１８０は、非接触温度測定素子１５５が測定する温度が、定着可能温度（例えば、１８０℃）になるように、定着ローラ１５０が内蔵する熱源１５１への通電を制御している。また、制御部１８０は、接触温度測定素子１７５が測定する温度が、定着可能温度よりもやや低い温度（例えば、１７０℃）になるように、定着ローラ１７０が内蔵する熱源１７１への通電を制御している。すなわち、トナー１１０に直接的に加熱する定着ローラ１５０は、トナー１１０が転写された転写紙１００を裏面から加熱する加圧ローラ１７０よりも高い温度になるように温度制御されている。また制御部１８０は、熱源１５１、１７１への通電の制御を行うほかに、定着ローラ１５０と加圧ローラ１７０の回転の有無の制御をするようになっている。
【００２２】
次に、このように構成された画像形成装置の動作について説明する。
【００２３】
トナー１１０が転写された転写紙１００の転写動作を行うときは、前述したように、制御部１８０は、非接触温度測定素子１５５および接触温度測定素子１７５が測定した温度がそれぞれの目標値になるように、熱源１５１、１７１への通電を制御し、定着ローラ１５０と加圧ローラ１７０を回転させて転写動作を行う。
【００２４】
複数の転写紙１００に対して連続して転写動作を行うと、図３に示すように、非接触温度測定素子１５５が測定する温度（温度曲線１５５ａ）は、転写紙１００と加圧ローラ１７０に移動した熱の影響によって、通紙前の温度よりも少し低くなり、一方、接触温度測定素子１７５が測定する温度（温度曲線１７５ａ）は、転写紙１００と定着ローラ１５０から移動した熱の影響によって、通紙前の温度よりも少し高くなる（図３の温度曲線の左半分）。そして、通紙初期または連続通紙の初期にこのような熱の移動が起こった後は、定着ローラ１５０と加圧ローラ１７０は概ね一定の温度に保たれるので、非接触温度測定素子１５５と接触温度測定素子１７５は概ね一定の温度を測定する（図３の温度曲線の左半分）。
【００２５】
非接触温度測定素子１５５は、定着ローラ１５０と数ミリ離隔して設けられているので、紙ズマリにより発生した紙片埃や等の異物が隙間に挟まると、正常な状態よりも低く温度を測定してしまう。そのため、制御部１８０は非接触温度測定素子１５５が測定する温度が誤った値であるのに熱源１５１により多くの電力を通電し、定着ローラ１５０は目標値以上の温度になる。そして、加圧ローラ１７０は定着ローラ１５０から移動した熱によって通常より温度が高くなる。
【００２６】
一方、接触温度測定素子１７５は、加圧ローラ１７０と接触して設けられているので、異物等の影響も受けず、且つ、従来の技術のように幅狭用紙の連続通紙時に温度が高くなってしまうローラ端部の温度ではなく、加圧ローラ１７０の幅方向中央部の温度を測定しているので、誤った温度を測定するおそれはない。
【００２７】
そこで、本実施形態では、制御部１８０は、接触温度測定素子１７５が測定する温度が第１の所定値（例えば２００℃）を超えた場合（温度曲線１７５ｂ）は、非接触温度測定素子１５５が誤った温度を測定していると判別するようになっている。
【００２８】
また、本実施形態では、制御部１８０は転写動作を行っていない待機時に、所定時間毎に、定着ローラ１５０が内蔵する熱源１５１のみに通電するとともに、接触温度測定素子１７５が測定する温度をモニターして、この温度が第２の所定値（例えば１９０℃）を超えた場合は、非接触温度測定素子１５５が誤った温度を測定していると判別するようになっている。
【００２９】
このように、本実施の形態では、接触温度測定素子１７５が測定する温度が所定値（例えば２００℃）を超えた場合は、非接触温度測定素子１５５が誤った温度を測定していると判別するので、非接触温度測定素子１５５の誤検知を判別することができ、トナー定着のための適切な温度測定や温度制御をすることができる。
【００３０】
また、非接触温度測定素子１５５および接触温度測定素子１７５は、いずれも、各ローラの通紙領域の幅方向の同一箇所を測定しているので、トナー定着のための適切な温度測定や温度制御をすることができる。
【００３１】
また、待機時に、所定時間毎に、定着ローラ１５０が内蔵する熱源１５１のみに通電するとともに、接触温度測定素子１７５が測定する温度をモニターして、この温度が第２の所定値（例えば１９０℃）を超えた場合は、非接触温度測定素子１５５が誤った温度を測定していると判別するので、非接触温度測定素子１５５の誤検知を判別することができ、トナー定着のための適切な温度測定や温度制御をすることができる。
【００３２】
＜第２の実施の形態＞
【００３３】
図４は本発明の第２の実施の形態の画像形成装置の熱定着部を示す図である。
【００３４】
図４に示すように、この画像形成装置は、図示しない転写部によって図示しない感光体上からトナー２１０が転写された転写紙２００が、定着ローラ２５０に架け渡された無端状ベルト２４０と加圧ローラ２７０に挟持されて送られるようになっている。無端状ベルト２４０は定着ローラ２５０と加熱ローラ２６０に架け渡されている。そして、加熱ローラ２６０および加圧ローラ２７０には、熱源２６１および熱源２７１がそれぞれ内蔵され、これら熱源２６１、２７１が発生した熱と、定着ローラ２５０と加圧ローラ２７０との圧力によりトナー２１０が転写紙２００に定着される。
【００３５】
加圧ローラ２７０には、その表面に離型性と耐熱性に優れたフッ素樹脂等からなる表面離型層が設けられている。また、加圧ローラ２７０の表面離型層の下には、定着ローラ２５０と加圧ローラ２７０との圧接部に均一に圧力がかかるようにシリコーンゴムやフッ素ゴム等の耐熱ゴムからなる弾性層が設けられている。
【００３６】
また、無端状ベルト２４０は、ニッケルやステンレス等の金属からなるフィルム状の基材、またはＰＩ、ＰＡＩ等の樹脂からなるフィルム状の基材の上に、離型性と耐熱性に優れたフッ素樹脂等からなる表面離型層が設けて構成されている。
【００３７】
非接触サーミスタやサーモパイル等の非接触温度測定素子２６５は、加熱ローラ２６０に架け渡された無端状ベルト２４０の表面から数ミリ離隔した位置に設けられ、非接触温度測定素子２６５は無端状ベルト２４０の表面温度を測定するようになっている。
【００３８】
また、接触サーミスタ等の接触温度測定素子２７５が加圧ローラ２７０に接して設けられ、接触温度測定素子２７５は加圧ローラ２７０の表面温度を測定するようになっている。
【００３９】
また、図５に示すように、非接触温度測定素子２６５と接触温度測定素子２７５との位置関係は、加熱ローラ２６０の回転軸および加圧ローラ２７０の回転軸に直交する面上に設けられている。換言すると、非接触温度測定素子２６５が加熱ローラ２６５に架け渡された無端状ベルト２４０の幅方向中央部の温度を測定するように配置されているなら、接触温度測定素子２７５も加圧ローラ２７０の幅方向中央部の温度を測定するように配置されている。
【００４０】
本実施形態では、非接触温度測定素子２６５および接触温度測定素子２７５は、無端状ベルト２４０および加圧ローラ２７０の幅方向中央部の温度、すなわち通紙の際の転写紙２００の流れ方向中央部になる部位の温度を測定するようになっており、図５の無端状ベルト２４０および加圧ローラ２７０の、転写紙２００と接する部位である画像領域２００ａの左右方向中央部の温度を測定するようになっている。
【００４１】
制御部２８０は、非接触温度測定素子２６５が測定する温度が、定着可能温度（例えば、１８０℃）になるように、加熱ローラ２７０が内蔵する熱源２６１への通電を制御している。また、制御部２８０は、接触温度測定素子２７５が測定する温度が、定着可能温度よりもやや低い温度（例えば、１７０℃）になるように、定着ローラ２７０が内蔵する熱源２７１への通電を制御している。すなわち、トナー２１０に直接的に加熱する無端状ベルト２４０は、トナー２１０が転写された転写紙１００を裏面から加熱する加圧ローラ２７０よりも高い温度になるように温度制御されている。また制御部２８０は、熱源２６１、２７１への通電の制御を行うほかに、定着ローラ２５０と加圧ローラ２７０の回転の有無の制御をするようになっている。
【００４２】
次に、このように構成された画像形成装置の動作について説明する。
【００４３】
トナー２１０が転写された転写紙２００の転写動作を行うときは、前述したように、制御部２８０は、非接触温度測定素子２６５および接触温度測定素子２７５が測定した温度がそれぞれの目標値になるように、熱源２６１、２７１への通電を制御し、定着ローラ２５０と加圧ローラ２７０を回転させて転写動作を行う。
【００４４】
複数の転写紙２００に対して連続して転写動作を行うと、図６に示すように、非接触温度測定素子２６５が測定する温度（温度曲線２６０ａ）は、転写紙２００と加圧ローラ２７０に移動した熱の影響によって、通紙前の温度よりも少し低くなり、一方、接触温度測定素子２７５が測定する温度（温度曲線２７０ａ）は、転写紙２００と無端状ベルト２４０を介して加熱ローラ２６０から移動した熱の影響によって、通紙前の温度よりも少し高くなる（図６の温度曲線の左半分）。そして、通紙初期または連続通紙の初期にこのような熱の移動が起こった後は、無端状ベルト２４０と加圧ローラ２７０は概ね一定の温度に保たれるので、非接触温度測定素子２６５と接触温度測定素子２７５は概ね一定の温度を測定する。（図６の温度曲線の左半分）
【００４５】
非接触温度測定素子２６５は、無端状ベルト２４０と数ミリ離隔して設けられているので、紙ズマリにより発生した紙片埃や等の異物が隙間に挟まると、正常な状態よりも低く温度を測定してしまう。そのため、制御部２８０は非接触温度測定素子２６５が測定する温度が誤った値であるのに熱源２６１により多くの電力を通電し、無端状ベルト２４０は目標値以上の温度になる。そして、加圧ローラ２７０は無端状ベルト２４０から移動した熱によって通常より温度が高くなる。
【００４６】
一方、接触温度測定素子２７５は、加圧ローラ２７０と接触して設けられているので、異物等の影響も受けず、且つ、従来の技術のように幅狭用紙の連続通紙時に温度が高くなってしまうローラ端部の温度ではなく、加圧ローラ２７０の幅方向中央部の温度を測定しているので、誤った温度を測定するおそれはない。
【００４７】
そこで、本実施形態では、制御部２８０は、接触温度測定素子２７５が測定する温度が第１の所定値（例えば２００℃）を超えた場合（温度曲線２７０ｂ）は、非接触温度測定素子２６５が誤った温度を測定していると判別するようになっている。
【００４８】
また、本実施形態では、制御部２８０は転写動作を行っていない待機時に、所定時間毎に、加熱ローラ２６０が内蔵する熱源２６１のみに通電するとともに、接触温度測定素子２７５が測定する温度をモニターして、この温度が第２の所定値（例えば１９０℃）を超えた場合は、非接触温度測定素子２６５が誤った温度を測定していると判別するようになっている。
【００４９】
このように、本実施の形態では、接触温度測定素子２７５が測定する温度が所定値（例えば２００℃）を超えた場合は、非接触温度測定素子２６５が誤った温度を測定していると判別するので、非接触温度測定素子２６５の誤検知を判別することができ、トナー定着のための適切な温度測定や温度制御をすることができる。
【００５０】
また、非接触温度測定素子２６５および接触温度測定素子２７５は、いずれも、各ローラの通紙領域の幅方向の同一箇所を測定しているので、トナー定着のための適切な温度測定や温度制御をすることができる。
【００５１】
また、待機時に、所定時間毎に、定着ローラが内蔵する熱源２６１のみに通電するとともに、接触温度測定素子２７５が測定する温度をモニターして、この温度が第２の所定値（例えば１９０℃）を超えた場合は、非接触温度測定素子２６５が誤った温度を測定していると判別するので、非接触温度測定素子２６５の誤検知を判別することができ、トナー定着のための適切な温度測定や温度制御をすることができる。
【００５２】
【発明の効果】
本発明によれば、トナー定着のための適切な温度測定や温度制御をすることができる画像形成装置を提供することができる。
【図面の簡単な説明】
【図１】本発明の第１の実施の形態に係る画像形成装置の熱定着部を示す側面図である。
【図２】熱定着部の画像領域を説明する図である。
【図３】非接触温度測定子１５５および接触温度測定子１７５が測定する温度を示す図である。
【図４】本発明の第２の実施の形態に係る画像形成装置の熱定着部を示す側面図である。
【図５】熱定着部の画像領域を説明する図である。
【図６】非接触温度測定子２６５および接触温度測定子２７５が測定する温度を示す図である。
【符号の説明】
１００    転写紙
１１０    トナー
１２０    通紙経路
１５０    定着ローラ
１５１    熱源
１５５    非接触温度測定子
１７０    加圧ローラ
１７１    熱源
１７５    接触温度測定子
１８０    制御部
２００    転写紙
２１０    トナー
２２０    通紙経路
２４０    無端状ベルト
２５０    定着ローラ
２６０    加熱ローラ
２６１    熱源
２６５    非接触温度測定子
２７０    加圧ローラ
２７１    熱源
２７５    接触温度測定子
２８０    制御部
【図１】
2004301905.tif 000003
【図２】
2004301905.tif 000004
【図３】
2004301905.tif 000005
【図４】
2004301905.tif 000006
【図５】
2004301905.tif 000007
【図６】
2004301905.tif 000008